(57)【特許請求の範囲】
【請求項１】
ＨＡコントロール信号（以後ＨＡ信号）を取り込むためのＨＡ端子と、前記ＨＡ端子の信号の入出力端子を端末側か、制御側かに切り換える切換手段と、前記切換手段の設定により前記ＨＡ端子の入出力制御を行う制御手段と、空調調和機の運転停止状態を検知する運転検知手段と、ＨＡ信号による制御信号の出力を遅延するタイマー手段を備え、前記切換手段からの設定により制御側に設定された場合、前記運転検知手段による運転状態が変化した際に、ＨＡ端子の出力から制御信号を出力し、端末側機器を制御するとともに、前記制御手段からの制御信号出力時にタイマー手段による遅延時間後に出力して空気調和機と端末側機器との起動が同時になることを避けることを特徴とする空気調和機。
【請求項２】
ＨＡ端子の端末側機器側からの入力により制御信号を再送するか否かを判定する再送検知手段を設け、制御信号が出力されたにも関わらず端末側機器からの入力信号が変化しないと再送検知手段が判断した場合は、制御手段はＨＡ端子の出力から制御信号を出力することを特徴とする請求項１に記載の空気調和機。
【請求項３】
空気調和機の異常状態を検知する異常検知手段を設け、異常検知手段からの異常信号が有った場合には、運転停止のための制御信号を出力することを特徴とする請求項１又は２に記載の空気調和機。
【請求項４】
端末側機器からの入力を監視する監視手段を設け、端末側機器からの入力の運転停止状態が一致しない場合に、制御信号を出力することを特徴とする請求項１から請求項３のいずれかに記載の空気調和機。
【発明の詳細な説明】
【技術分野】
【０００１】
本発明は、ホームオートメーション端子いわゆるＨＡ端子を有する空気調和機に関する。
【背景技術】
【０００２】
従来、この種の空気調和機では、例えば図７に記載された空気調和機がある。
【０００３】
図７において、１００は従来の空気調和機、１０１は空気調和機１００の制御手段、１０２は制御手段１０１に有るＨＡ端子であり、１０３はＨＡ信号を送受信するインターフェースユニット、１０４は空気調和機の運転／停止を行うリモコンであり、インターフェースユニット１０３は、空気調和機１００のＨＡ端子１０２と接続されており、リモコン１０４からの運転または停止の信号を受けたインターフェースユニット１０３は、空気調和機１００に対してＨＡ規格による運転制御の信号を送信し、これを受けた制御手段１０１は、空気調和機１００の運転制御を行うものである（例えば、特許文献１参照）。
【特許文献１】特開２００４−１６３０６４号公報
【発明の開示】
【発明が解決しようとする課題】
【０００４】
しかしながら、上記従来の構成では、インターフェースユニットのような外部制御機器が存在した場合には、ＨＡによる制御を行うために使用されるが、外部制御機器が無い場合には、空気調和機側のＨＡ端子は無用なものとなる。一方、この空気調和機と連動して運転を行う空気調和機、換気扇、加湿器などの端末機器でＨＡ端子有する機器が存在した場合、この端末側機器と連動制御させるには別の連動端子か、外部制御機器を設け無ければならないという問題を有していた。
【０００５】
本発明は、上記従来の課題を解決するものであり、外部制御機器との接続を行わない場合に、従来からのＨＡ端子を利用し、空気調和機側のＨＡ端子を外部制御機器の制御端子と同じの出力に切り換えることにより、ＨＡ端子を有する端末機器との連動制御が可能な空気調和機を提供することを目的とする。
【課題を解決するための手段】
【０００６】
上記課題を解決するため、本発明の空気調和機は、ＨＡ端子と、ＨＡ端子の信号の入出力を端末側か、制御側かに切り換える切換手段と、前記切換手段の設定によりＨＡ端子の入出力の制御を行う制御手段と、空気調和機の運転停止を検知する運転検知手段を設けるとともに、ＨＡ信号による制御信号の出力を遅延するタイマー手段を備え、切換手段からの設定により制御側に設定された場合、前記運転検知手段による運転状態が変化した際に、ＨＡ端子の出力から制御信号を出力し、端末側機器を制御するとともに、前記制御手段からの制御信号出力時にタイマー手段による遅延時間後に出力して空気調和機と端末側機器との起動が同時になることを避ける構成としたものである。
【０００７】
これによって、前記切換手段が制御側に設定された場合は、前記運転検知手段による運転状態が変換した際に、ＨＡ端子の出力から制御信号を出力するものである。
【発明の効果】
【０００８】
本発明の空気調和機は、ＨＡ端子を利用した外部制御機器からの制御が無い場合で、ＨＡ端子を有する端末機器と空気調和機とを連動制御する場合に、空気調和機のＨＡ端子の出力を利用して、端末機器との連動制御を可能とする。そして、タイマー手段により制御信号を遅延させることにより、空気調和機と端末側機器との同時起動を無くすることができる。
【発明を実施するための最良の形態】
【０００９】
第１の発明は、ＨＡ端子と、ＨＡ端子の信号の入出力を端末側か、制御側かに切り換える切換手段と、前記切換手段の設定によりＨＡ端子の入出力の制御を行う制御手段と、空気調和機の運転停止を検知する運転検知手段を設けるとともに、ＨＡ信号による制御信号の出力を遅延するタイマー手段を備え、切換手段からの設定により制御側に設定された場合、前記運転検知手段による運転状態が変化した際に、ＨＡ端子の出力から制御信号を出力し、端末側機器を制御するとともに、前記制御手段からの制御信号出力時にタイマー手段による遅延時間後に出力して空気調和機と端末側機器との起動が同時になることを避ける構成としたものであり、端末機器との連動制御が可能となるとともに、タイマー手段により制御信号を遅延させることにより、空気調和機と端末側機器との同時起動を無くすることができる。
【００１０】
第２の発明は、特に、第１の発明の空調和機において、ＨＡ端子の出力より制御信号を再送するか否かを判定する再送検知手段を設け、前記切換手段により制御側に切り換えられた空気調和機で、制御信号が出力されたにも関わらず、端末側機器からの入力が変化しないことを再送検知手段が判断した場合は、前記制御手段はＨＡ端子の出力から再度制御信号を出力する。
【００１１】
第３の発明は、特に、第１又は第２の発明の空気調和機に、空調機の異常状態を検知する異常検知手段を設け、前記切換手段により制御側に切り換えられた空気調和機は、異常検知手段から異常信号が有った場合は、端末側機器に停止のための制御信号を出力することを特徴とする。
【００１２】
第４の発明は、特に、第１から第４のいずれかの発明の空気調和機に、端末側機器からの運転停止状態を監視するための監視手段を設け、端末側機器からの入力の運転停止状態が一致しない場合には、前記制御手段はＨＡ端子の出力から一致するまで制御信号を出力する。
【００１３】
以下、本発明の実施の形態について図面を参照しながら説明する。なお、本実施の形態によって本発明が限定されるものではない。
【００１４】
（実施の形態１）
図１は、本発明の実施の形態１における空気調和機の構成ブロック図である。同図において、空気調和機１は、制御手段２、ＨＡ端子３、切換手段４、運転検知手段５から構成され、端末側機器１１は、端末側制御手段１３と、端末側ＨＡ端子１２から構成されている。また、図６は空気調和機１と端末側機器１１とのＨＡ端子の出力と運転停止の状態を示す状態遷移図である。
【００１５】
切換手段４が制御側に切り換えられると、制御手段２は空気調和機１の運転停止状態を検知する運転検知手段５からの信号が入力されると、制御手段２は端末側機器１１に対してＨＡ端子３の出力より制御信号を出力し（図６のａ）、それを端末側ＨＡ端子１２にて受けた端末側制御手段１３は端末機器を運転する（図６のｂ）ことを特徴とする。
【００１６】
以上のように構成された空気調和機１は、ＨＡ端子の切換信号により、制御側になった場合にＨＡ端子の出力から制御信号を出力することにより、端末側機器１１との同時運転を促すことができる。
【００１７】
（実施の形態２）
図２は、本発明の実施の形態２における空気調和機の構成ブロック図である。同図にお
いて、図１と同じ構成要素については同じ符号を用い説明を省略する。
【００１８】
制御信号を再送するか否かを判定する再送検知手段６を設け、制御信号が出力されたにも関わらず端末側機器１１からの入力が変化しないことを再送検知手段６が判断した場合は、制御手段２はＨＡ端子３の出力から制御信号（図６のａ）を出力する。
【００１９】
以上のように構成された空気調和機１は、再送検知手段６により端末側機器１１が制御信号を正常に受信していないと判断した場合に、再度制御出力を出すことにより確実に端末側機器１１に制御信号を伝えるものである。
【００２０】
（実施の形態３）
図３は、本発明の実施の形態３における空気調和機の構成ブロック図である。同図において、図１と同じ構成要素については同じ符号を用い説明を省略する。
【００２１】
ＨＡ信号による制御信号の出力を遅延するタイマー手段７を設け、制御手段からの制御信号出力を、タイマー手段７による遅延時間後に出力することにより、空気調和機１と端末側機器１１との起動が同時になることを避けるものである。
【００２２】
以上のように構成された空気調和機１は、タイマー手段７により制御信号を遅延させることにより、端末側機器１１との同時起動を無くすものである。
【００２３】
（実施の形態４）
図４は、本発明の実施の形態４における空気調和機の構成ブロック図である。同図において、実施の形態１で説明した部分については同じ符号を用い説明を省略する。
【００２４】
空気調和機の異常状態を検知する異常検知手段８を設け、異常検知手段８からの異常信号が有った場合に、制御信号を出力するものである。
【００２５】
以上のように構成された空気調和機１は、異常検知手段８により空気調和機の異常状態を検知した場合に、端末側機器１１も停止させるものである。
【００２６】
（実施の形態５）
図５は、本発明の実施の形態５における空気調和機の構成ブロック図である。同図において、実施の形態１で説明した部分については同じ符号を用い説明を省略する。
【００２７】
端末側機器１１からの入力を監視する監視手段９を設け、端末側機器１１が電源立ち上がり等で、制御側の空気調和機１との運転状態が合わないことを、前記監視手段９が判断した場合に、制御信号を出力するものである。
【００２８】
以上のように構成された空気調和機１は、端末側機器１１との運転状態が不一致となることを避けるように対応したものである。
【産業上の利用可能性】
【００２９】
以上のように、本発明にかかる空気調和機は、外部制御機器からのＨＡによる運転制御を行なわない時に、空気調和機のＨＡ端子から制御信号を送信することにより、連動制御を行うことが可能である。そして、タイマー手段により制御信号を遅延させることにより、空気調和機と端末側機器との同時起動を無くすることができる。
【図面の簡単な説明】
【００３０】
【図１】本発明の実施の形態１における空気調和機の構成ブロック図
【図２】本発明の実施の形態２における空気調和機の構成ブロック図
【図３】本発明の実施の形態３における空気調和機の構成ブロック図
【図４】本発明の実施の形態４における空気調和機の構成ブロック図
【図５】本発明の実施の形態５における空気調和機の構成ブロック図
【図６】本発明の実施の形態１から５における空気調和機の状態遷移図
【図７】従来の空気調和機における構成ブロック図
【符号の説明】
【００３１】
１  空気調和機
２  制御手段
３  ＨＡ端子
４  切換手段
５  運転検知手段
６  再送検知手段
７  タイマー手段
８  異常検知手段
９  監視手段
１０  タイマー手段
１１  端末側機器
１２  端末側ＨＡ端子
１３  端末側制御手段
【図１】
0004670607.tif 000002
【図２】
0004670607.tif 000003
【図３】
0004670607.tif 000004
【図４】
0004670607.tif 000005
【図５】
0004670607.tif 000006
【図６】
0004670607.tif 000007
【図７】
0004670607.tif 000008